(57)【特許請求の範囲】
【請求項１】
支柱周りに、複数個の花びら状片の基端を上下方向に開閉動自在に支持し、各花びら状片の先端部にローソクを取着し、各花びら状片が起立して閉じ位置を採る時に、各花びら状片のローソクが伏倒して燃焼芯が突き合わせられて点火により分離可能に保持され、燃焼芯への一斉点火で、この保持が解消されて各花びら状片が展開し、開き位置に落ち着いて点火されたローソクを各花びら状片上に直立させることを特徴とするキャンドル装置。
【請求項２】
支柱の下部を支持台に上下動自在に支持し、該支持台に、花びら状片基部に対応して受け部材を設け、該受け部材内にあって支持台と支柱間に、支柱を押上げ方向に付勢するばねを配装し、ばねに抗して支柱を支持台に対して下降させて花びら状片が閉じ位置を採る時に、花びら状片基部を受け部材内に引き入れることを特徴とする請求項１記載のキャンドル装置。
【請求項３】
支柱上にカップ状容体を設け、各花びら状片が閉じ位置を採る時に、各花びら状片が容体を取り囲み、ローソクは容体上に伏倒して燃焼芯を容体に被せた蓋の中央部で突き合わせ状にして蓋中央部に装填した着火剤に臨ませ、着火剤を介して燃焼芯に一斉点火するようにしたことを特徴とする請求項１又は２記載のキャンドル装置。
【請求項４】
各花びら状片が閉じ位置を採る状態で、支持台とカップ状容体の蓋の中央部に装填した着火剤とを、可燃性の固縛紐で連結したことを特徴とする請求項３に記載のキャンドル装置。
【請求項５】
支柱上に上部支柱を設け、該上部支柱上端部に着火剤を装填し、各花びら状片が起立して閉じ位置を採る状態で、支持台と上部支柱上端部に装填した着火剤とを、可燃性の固縛紐で連結するとともに、上部支柱周りに生じる空間内にあって、上部支柱周りに装飾体を配装したことを特徴とする請求項１又は２記載のキャンドル装置。
【発明の詳細な説明】
【０００１】
【発明の属する技術分野】
本発明は、誕生パーティ、誕生会などにおけるキャンドルサービスを、より楽しく盛り上げることができるキャンドル装置に関するものである。
【０００２】
【従来の技術】
従来より、誕生会などで行われているキャンドルサービスでは、ケーキ上に複数本のローソクを分散的に立て、これらのローソクに点火して、しばらくしてこれら全部のローソクの火を吹き消し、この後でケーキに入刀するようなことが広く行われている。ここで使用されるローソクは、ケーキ上に直接に立てられるので、ケーキ用のローソクの場合は、ローソク下部にプラスチック製のピンが取り付けてあったり、アルミ箔等で包んだようなものが多い。
【０００３】
また、ケーキ用に使用するローソクに限定されるものではないが、通常のローソクを、その底部から側面に掛けて燃焼芯以外の部分を、開いた花の形などの形状を記憶させた形状記憶ポリマーで包み込んだ「開くキャンドル包み」も提案されている。（特許文献１参照。）。
【０００４】
この開くキャンドル包みは、ローソクが燃えている間にローソクの炎の熱で、形状記憶ポリマーが、あらかじめ記憶させられた開いた花などの形状に戻ろうして開いていく動きを作り出すようにしたもので、これは、ローソク使用時の経時的変化を伴う動的な装飾が、ローソクを包み込んだ形状記憶ポリマーによって得られものと言える。
【０００５】
【特許文献１】
実開平７−１５７５５号公報。
【０００６】
【発明が解決しようとする課題】
前記するように、誕生会などで行われているケーキにローソクを立てて行われているキャンドルサービスでは、ケーキ上に立てたローソクに点火して、この火が吹き消されるまでのローソクの炎による雰囲気を楽しむものであるために、時間的には、ごく短時間で終わるにも関わらず、ケーキ上に立てたローソクの炎が吹き消される時には、それまでに溶けた蝋がケーキ上に落ちたり、溶けた蝋が吹き飛ばされてケーキ上に落ちるようなことがある。
【０００７】
また、特許文献１に見られる構成のものは、形状記憶ポリマーが開いてしまえば、これが溶けた蝋の受け皿となるので、ケーキ上に立てて使用しても、溶けた蝋がケーキ上に落ちることはないが、しかし、ローソクの火の熱で形状記憶ポリマーが、あらかじめ記憶させられた形状に完全に戻どるには、かなりの時間が掛かるので、これを、従来のローソク同様に、ケーキ上に立てて火を付け、早々に、火を吹き消してしまうような使い方では、折角の形状記憶ポリマーも、開き掛けた初期で用済みとなってしまうので、この形状記憶ポリマーによる演出効果は期待できるものではなく、また、開き掛け途中の形状記憶ポリマーでは、溶けた蝋の受け皿として使用できるものではなく、火が吹き消される時に飛び散る溶けた蝋までも捕捉することはできない。
【０００８】
そこで、本発明は、ケーキ上に複数本のローソクを分散状に立てるのではなく、複数本のローソクを一括して取り扱い、ケーキ上には花びらが一斉に開くような動きを伴って点火された複数本のローソクを拡散配置するようにし、外観上の体裁も良く、装飾性が高く、誕生会などの会場を華やかな雰囲気に盛り上げることができるキャンドル装置を提供することを目的としたものである。
【０００９】
【課題を解決するための手段】
上記の目的を達成するための本発明は、支柱周りに、複数個の花びら状片の基端を上下方向に開閉動自在に支持し、各花びら状片の先端部にローソクを取着し、各花びら状片が起立して閉じ位置を採る時に、各花びら状片のローソクが伏倒して燃焼芯が突き合わせられて点火により分離可能に保持され、燃焼芯への一斉点火で、この保持が解消されて各花びら状片が展開し、開き位置に落ち着いて点火されたローソクを各花びら状片上に直立させることを特徴とする。
【００１０】
ここで、各ローソクの燃焼芯を突き合わ状に保持するに当たっては、燃焼芯相互を直接的に可燃性の接着剤等を用いて結合することができる。
【００１１】
このように構成された本発明に係るキャンドル装置によれば、ケーキ上適所にセットする（立てる）などし、突き合わ状に保持された燃焼芯に点火すると、この点火により各ローソクの燃焼芯相互の保持関係が解かれて分離し、各花びら状片が一斉に閉じ位置から展開して開き位置に落ち着く。こうして各花びら状片の先端部では、点火された各ローソクがそれぞれに直立姿勢を採って燃えるようになる。
【００１２】
従って、本発明によれば、複数本のローソクへの点火は、燃焼芯を突き合わせ状にして一個所で同時点火が行われ、点火と同時に各花びら状片が展開して、点火されたローソクは開き位置を採る各花びら状片上で燃えるようになるので、ローソクへの点火から各花びら状片が一斉に展開する動きの中に見るローソクの炎の動きは、一見、花火への点火から花火の美しい拡散を思わせるような動的な動きにも似て、装飾性が高く、誕生会などの会場を華やかな雰囲気に盛り上げることができる。
【００１３】
前記構成において、支柱の下部を支持台に上下動自在に支持し、該支持台に、花びら状片基部に対応して受け部材を設け、該受け部材内にあって支持台と支柱間に、支柱を押上げ方向に付勢するばねを配装し、ばねに抗して支柱を支持台に対して下降させて花びら状片が閉じ位置を採る時に、花びら状片基部を受け部材内に引き入れる構成にすると、燃焼芯への点火後の各花びら状片の展開は、ばねが、支柱及び支柱に支持した各花びら状片等を含む可動部を押し上げて各花びら状片は受け部材上に展開する。従って、受け部材上では、各花びら状片の基部が上向きに動くのに連れて、ローソクが取着された先端部は下向きに動く興味をそそる動きの下で受け部材上に一様に支持される。ばね力と可動部の重量バランスや摺動部に塗布する粘着剤等により、各花びら状片が展開を開始して受け部材上に落ち着くまでの時間が早すぎないように、適度の時間を掛けて行われるような時間調整も可能とするので、各花びら状片の展開時の動作速度からしても人目を惹くようになり、華やかな雰囲気を盛り上げるのに効果がある。
【００１４】
前記構成において、支柱上にカップ状容体を設け、各花びら状片が閉じ位置を採る時に、各花びら状片が容体を取り囲み、ローソクは容体上に伏倒して燃焼芯を容体に被せた蓋の中央部で突き合わせ状にして蓋中央部に装填した着火剤に臨ませ、着火剤を介して燃焼芯に一斉点火するように構成にすると、発熱量の大きな点火力の強い着火剤を使用することにより、全燃焼芯への点火が瞬時に確実に行われる。しかも、着火剤には花火成分等を混入することも可能であるので、着火剤への点火は、花火への点火と同じような様な雰囲気をかもし出すので、最初に行われるローソクへの点火を楽しく演出することができる。
【００１５】
前記構成において、各花びら状片が閉じ位置を採る状態で、支持台と容体の蓋の中央部に装填した着火剤とを、可燃性の固縛紐で連結した構成にすると、常態において、各花びら状片は閉じ位置に確実に保持される。そして、着火剤への点火時には、点火と同時に固縛紐が焼き切れて支持台に対する可動部の固縛関係が解消されるので、各花びら状片が動作不良を生じることはない。
【００１７】
前記構成において、支柱上に上部支柱を設け、該上部支柱上端部に着火剤を装填し、各花びら状片が起立して閉じ位置を採る状態で、支持台と上部支柱上端部に装填した着火剤とを、可燃性の固縛紐で連結するとともに、上部支柱周りに生じる空間内にあって、上部支柱周りに装飾体を配装した構成にすると、着火剤への点火時に固縛紐が焼き切れて各花びら状片が展開するのと同時に上部支柱周りに装飾体が現れるので、これも人目を惹き、装置の視覚的な華やかさを増し、興味をそそり楽しい雰囲気を盛り上げる。
【００１８】
【発明の実施の形態】
以下、本発明の実施例を図面に基づいて説明する。
【００１９】
図１は本発明に係るキャンドル装置の花びら状片が開き位置を採る時の斜視図、図２は花びら状片が閉じ位置を採る時のキャンドル装置の側面図、図３は図２におけるキャンドル装置の平面図、図４は花びら状片が閉じ位置を採る時のキャンドル装置の概略縦断面図、図５は花びら状片が開き位置を採る時のキャンドル装置の概略縦断面図である。
【００２０】
図において、支柱１周りに、複数個の花びら状片２の基端２ａを上下方向に開閉動自在に支持している。支柱１に対する花びら状片２の支持のために、支柱１上に、周部沿いに空洞を形成した円盤状の支持盤３を設け、この支持盤３周壁に設けた長孔４から空洞内に、Ｔ字状に抜け止め突起を設けた花びら状片２の基端２ａを挿入して支持し、各花びら状片２は基端２ａを支点にして閉じ位置を採る時は支持盤３周りに起立し、開き位置を採る時は支持盤３周りに放射方向に張り出すようにしている。
【００２１】
各花びら状片２の先端部にローソク５を取着している。このローソク５は、各花びら状片２に設けた取着管６に挿着され、その長さは、各花びら状片２が閉じ位置を採る時に、ローソク５は伏倒してその燃焼芯５ａを突き合わ状になるように設定している。また、花びら状片２が展開して開き位置を採る時は、各花びら状片２上でローソク５は直立状になるようにしている。
【００２２】
支柱１の下部は支持台７に上下動自在に支持され、支持台７の上部には、花びら状片２基端２ａに対応して皿状に浅く窪ませたて受け部材８を設け、受け部材８内にあって支持台７と支柱１間に、支柱１を押上げ方向に付勢するばね９を配装し、ばね９に抗して支柱１を支持台７に対して下降させ、花びら状片２が閉じ位置を採る時に、花びら状片２の基部を受け部材８内に引き入れるようにしている。また、支持台７は、自立のために３本の支脚１０を設けている。
【００２３】
支柱１上に、カップ状容体１１を設けている。実施の形態のカップ状容体１１は、前記支持盤３上面を底面にして支持盤３上に容体１１の周壁を立ち上げて形成しており、各花びら状片２が閉じ位置を採る時に、容体１１周りを各花びら状片２が取り囲み、ローソク５は容体１１上に伏倒して燃焼芯５ａを容体１１に被せた蓋１２の中央部で突き合わせられるようにし、蓋１２の中央部に装填した着火剤１３に臨ませている。
【００２４】
常態、すなわち、ばね９に抗して支柱１を支持台７に対して下降させて、花びら状片２を閉じ位置に保持するために、支持台７と容体１１の蓋１２の中央部に装填した着火剤１３とを可燃性の固縛紐１４で連結している。この固縛紐１４は、その一端を支持台７に固定し、他端は可及的近道で邪魔にならないように適所に設けた通孔等に通して蓋１２の中央部に装填した着火剤１３のところまで導き、蓋１２の中央部に装填した着火剤１３に固定している。この固定には、着火剤１３を装填する時に着火剤１３の中に埋めて着火剤１３の固化を待って固定するか、または、着火剤１３の充填固化後に着火剤１３上に貼付ける等して固定している。なお、ここで使用する着火剤１３には、簡単に点火ができて短時間に燃え尽き、発熱量の大きな点火力の強い着火剤１３が使用される。また、着火剤１３には、汎用の花火への点火と同じような様な雰囲気をかもし出す花火成分を含んだものであってもよい。
【００２６】
なお、図中２０は、前記花びら状片２の上側に位置して支柱１周りに基端２０ａを上下方向に開閉動自在に支持させた小型の花びら状片で、この小型の花びら状片２０は、華やかさを増すためのもので、前記花びら状片２同様に、Ｔ字状に抜け止め突起を設けた基端２ａを支持盤３周壁に設けた空洞内に挿入して支持させており、花びら状片２に連られる形で開閉動される。
【００２７】
以上のように構成された本発明に係るキャンドル装置においては、先ずは、着火剤１３に対する点火で、発熱量の大きな強力な点火力の下で、各ローソク５の燃焼芯５ａへの同時点火が確実に行われる。この際の着火剤１３への点火は、花火への点火と同じような様な雰囲気をかもし出すので、最初に行われるローソク５への点火を楽しく演出する。
【００２８】
着火剤１３への点火によって、支持台７と着火剤１３とを連結していた固縛紐１４が焼き切れると、支持台７に対する支柱１の固縛関係が解消されて、支柱１はばね９によって上昇動を開始し、この支柱１の動きに伴って、各花びら状片２は受け部材８上で閉じ位置から展開を開始して開き位置に達して落ち着く。この間の各花びら状片２の動きと、火の付いたローソク５の動きが一体になって人目を惹き、華やかな雰囲気を一層盛り上げるのに効果がある。
【００３０】
図６、図７には第２の実施の形態を示している。図６は花びら状片が閉じ位置を採る時のキャンドル装置の概略縦断面図、図７は花びら状片が開き位置を採る時のキャンドル装置の概略縦断面図である。
【００３１】
この第２の実施の形態においては、前記する第１の実施の形態を示した図１〜図５と同一の構成部分については同一の符号が付されていることで、その詳細な説明は省略されている。この第２の実施の形態にあっては、第１の実施の形態における容体１１内に配置したメロディ発声装置１５に代えて、容体１１内に、蓋１２を開けて見て、あっと驚くようなアニメキャラクター（おまけ）等を含む様々な玩具や、メッセージが印刷された紙片等からなる物品２１を収納している。ここでは、一応のキャンドルサービスを楽しんだ後に、容体１１の蓋１２を開けて物品２１の存在を楽しみ、これを取り出してプレゼントにしたり、誕生会等の会場の雰囲気を別の形で盛り上げるべくしたものである。
【００３２】
図８、図９は、また別の実施の形態で、第３の実施の形態を示している。図８は花びら状片が閉じ位置を採る時のキャンドル装置の概略縦断面図、図９は花びら状片が開き位置を採る時のキャンドル装置の概略縦断面図である。
【００３３】
この第３の実施の形態においては、前記する第１及び第２の実施の形態を示した図１〜図７と同一の構成部分については同一の符号が付されていることで、その詳細な説明は省略されている。この第３の実施の形態にあっては、第１及び第２の実施の形態におけるカップ状容体１１を改良したようなもので、容器１１の周壁をなくし、これに代えて支持盤３の中央に上部支柱１ａを設け、この上部支柱１ａの上端部に容器１１に被せていた蓋１２を装着して着火剤１３を装填し、上部支柱１ａ周りに生じる空間内にあって、上部支柱１ａ周りに装飾体２２を配装したもので、各花びら状片２が展開するのと同時に上部支柱１ａ周りの空間が解放されて装飾体２２が現れるようにしている。ここで、上部支柱１ａ周りに配装する装飾体２２としては、特に、制約されたものではないが、装飾体２２には、前記の物品２１等を含め、花びら状片２が展開して解放される上部支柱１ａ周りの空間から一部が外に飛び出しくるような変形や動きを伴う造花や装飾用モール等が含まれる。
【００３５】
【発明の効果】
本発明は、以上説明したような形態で実施され、本発明によれば、複数本のローソクへの点火は一個所で同時点火が行われ、この点火と同時にローソクと一体に各花びら状片が展開し、点火されたローソクは各花びら状片が開き位置に落ち着いてそれぞれの花びら状片上で燃えるので、点火後に各花びら状片が展開する動きの中に見るローソクの炎の動きは、花火の点火から美しい拡散を思わせるような動的な動きにも似て、装飾性が高く、誕生会などの会場を華やかな雰囲気に盛り上げるのに有効なものである。
【図面の簡単な説明】
【図１】本発明に係るキャンドル装置の花びら状片が開き位置を採る時の斜視図である。
【図２】花びら状片が閉じ位置を採る時のキャンドル装置の側面図である。
【図３】図２におけるキャンドル装置の平面図である。
【図４】花びら状片が閉じ位置を採る時のキャンドル装置の概略縦断面図である。
【図５】花びら状片が開き位置を採る時のキャンドル装置の概略縦断面図である。
【図６】花びら状片が閉じ位置を採る時の別の実施の形態を示すキャンドル装置の概略縦断面図である。
【図７】花びら状片が開き位置を採る時の別の実施の形態を示すキャンドル装置の概略縦断面図である。
【図８】花びら状片が閉じ位置を採る時のまた別の実施の形態を示すキャンドル装置の概略縦断面図である。
【図９】花びら状片が開き位置を採る時のまた別の実施の形態を示すキャンドル装置の概略縦断面図である。
【符号の説明】
１  支柱
２  花びら状片
２ａ  花びら状片基端
３  支持盤
４  長孔
５  ローソク
５ａ  燃焼芯
６  取着管
７  支持台
８  受け部材
９  ばね
１０  支脚
１１  カップ状容体
１２  容体の蓋
１３  着火剤
１４  固縛紐
１５  メロディ発声装置
１６  メロディ発声回路ＩＣ
１７  スピーカー
１８  電源
１９  リード線
２０  小型の花びら状片
２１  物品
２２  装飾体
２３  載置台
【図１】
0003621085.tif 000002
【図２】
0003621085.tif 000003
【図３】
0003621085.tif 000004
【図４】
0003621085.tif 000005
【図５】
0003621085.tif 000006
【図６】
0003621085.tif 000007
【図７】
0003621085.tif 000008
【図８】
0003621085.tif 000009
【図９】
0003621085.tif 000010